(57)【要約】【課題】誤操作が少なく、小型であると共に、防塵性を向上できる入力装置を提供する。【解決手段】本発明の入力装置において、操作部材６は、操作部６ｂと、この操作部６ｂの外周から突出する鍔部６ｃとを有し、操作部６ｂは、パネル１に設けられた孔１ａに位置して、パネル１から露出すると共に、鍔部６ｃは、パネル１の内面と対向し、且つ、パネル１の内面に当接、或いは近接した状態で配置され、操作部材６のスライド動作時、鍔部６ｃがパネル１にガイドされて、操作部材６がスライド移動すると共に、入力部材８が操作されるようにしたため、入力部材８の不用意な操作が少なくなり、従って、誤動作の少なく、且つ、小型で、パネル１内への防塵性の良好なものが得られる。【選択図】        図１
2004178328.tif 000002
【特許請求の範囲】
【請求項１】
スライド移動可能な操作部材、及びこの操作部材のスライド動作によって操作される入力部材を備えた入力手段と、前記操作部材を支持すると共に、前記操作部材の一部を露出させるパネルとを備え、前記操作部材は、操作部と、この操作部の外周から突出する鍔部とを有し、前記操作部は、前記パネルに設けられた孔に位置して、前記パネルから露出すると共に、前記鍔部は、前記パネルの内面と対向し、且つ、前記パネルの内面に当接、或いは近接した状態で配置され、前記操作部材のスライド動作時、前記鍔部が前記パネルにガイドされて、前記操作部材がスライド移動すると共に、前記入力部材が操作されるようにしたことを特徴とする入力装置。
【請求項２】
前記鍔部は、前記操作部の全周から突出して設けられ、前記鍔部によって、前記パネルの前記孔を塞ぐようにしたことを特徴とする請求項１記載の入力装置。
【請求項３】
前記入力手段はケースを備え、前記鍔部は、前記ケースと前記パネルによって挟持された状態で、スライド移動するようにしたことを特徴とする請求項１、又は２記載の入力装置。
【請求項４】
前記入力手段は、前記操作部に設けられた係合孔と嵌合する可動部材を有し、前記操作部材のスライド移動時、前記可動部材がスライド動作することによって、前記入力部材が操作されるようにしたことを特徴とする請求項１から３の何れかに記載の入力装置。
【請求項５】
前記操作部上には、前記係合孔を塞ぐフイルムが設けられたことを特徴とする請求項４記載の入力装置。
【請求項６】
前記入力手段は、前記係合孔に対向した状態で、前記入力部材を操作するための上下動可能なステムを有し、前記フイルムの内面には、硬い材料からなる板状部が配置され、前記フイルム上を押圧した時、前記フイルムが撓むと共に、前記板状部を介して前記ステムが押されて、前記入力部材が操作されるようにしたことを特徴とする請求項４、又は５記載の入力装置。
【請求項７】
前記パネルの内部には、前記入力手段を取り付けるプリント基板と、前記プリント基板上に配置された防塵部材とを有し、前記防塵部材は、前記入力部材を囲むように配置されて、前記操作部材の前記鍔部に結合されたことを特徴とする請求項１から６の何れかに記載の入力装置。
【請求項８】
前記防塵部材は、平坦状の基部と、この基部に繋がり、ゆとり部のある薄肉部とを有し、前記基部が前記プリント基板上に配置されると共に、前記薄肉部が前記鍔部に結合されたことを特徴とする請求項７記載の入力装置。
【請求項９】
前記パネルは、前記基部を前記プリント基板側に押圧するための突部を有し、前記突部によって、前記薄肉部の近傍の前記基部を押圧したことを特徴とする請求項８記載の入力装置。
【請求項１０】
複数個の前記突部を有し、前記突部によって、前記基部が複数箇所押圧されたことを特徴とする請求項９記載の入力装置。
【請求項１１】
前記パネルの内部には、前記入力手段を取り付けるプリント基板と、前記プリント基板上に配置された防塵部材とを有し、前記防塵部材は、前記入力部材を囲むように配置されたことを特徴とする請求項１から６の何れかに記載の入力装置。
【請求項１２】
前記操作部材の前記鍔部と前記防塵部材との間にスペーサ部材が配置されてたことを特徴とする請求項１１記載の入力装置。
【請求項１３】
前記パネルは、前記防塵部材を前記プリント基板側に押圧するための突部を有し、前記突部によって前記防塵部材を押圧したことを特徴とする請求項１１，又は１２記載の入力装置。
【請求項１４】
前記操作部材、又は／及び前記パネルは、透光可能な材料で形成され、前記パネルの内部に配置された照光部材によって、前記操作部材、又は／及び前記パネルを照光するようにしたことを特徴とする請求項１から１３の何れかに記載の入力装置。
【発明の詳細な説明】
【０００１】
【発明の属する技術分野】
本発明は、コンピュータや携帯情報端末装置などへの情報入力装置に係わるものであり、特に操作部材のスライド操作によりスライド方向に対応した検出信号を発生する入力装置の構造に関する。
【０００２】
【従来の技術】
従来の入力装置の構成を図６に基づいて説明すると、入力部材５１は、固定接点や可動接点を内蔵したケース５２と、このケース５２に、揺動動作可能に取り付けられた揺動部材５３とで構成されて、シーソー式の入力部材５１となっている。
【０００３】
ゴムからなるキーラバー５４は、シート部５４ａと、このシート部５４ａに結合されたドーム部５４ｂとで構成され、シート部５４ａとドーム部５４ｂとで囲まれた空洞部内には、入力部材５１が取り付けられて、入力部材５１が密閉された状態となっている。
【０００４】
シーソーキー５５は、その下面がドーム部５４ｂの上面に接着されて取り付けられており、このような構成によって、入力手段が形成されている。
そして、シーソーキー５５を押圧した時、ドーム部５４ｂを介して揺動部材５３が揺動し、その結果、接点の切換が行われて、検出信号を発生するようになっている。
【０００５】
また、このような構成を有する入力手段は、電子機器のパネル５６内に配置され、入力部材５１とキーラバー５４は、プリント基板（図示せず）上に取り付けられると共に、シーソーキー５５は、パネル５６の孔５６ａから露出した状態で配置されている。
【０００６】
そして、シーソーキー５５は、シーソー動作を行うために、パネル５６の孔５６ａにゆとりのある状態、即ち、大きな隙間５６ｃを持たせた状態で配置されると共に、入力部材５１とキーラバー５４は、パネル５６の孔５６ａに対応した状態で配置されている。（例えば、特許文献１参照）
【０００７】
【特許文献１】
特開２００１−２９１４５５号公報
【０００８】
【発明が解決しようとする課題】
従来の入力装置は、シーソーキー５５を押圧することによって、入力部材５１を操作するため、シーソーキー５５が不用意に押圧される可能性が高く、このため、誤った操作が行われるという問題がある。
また、シーソーキー５５とパネル５６との間には大きな隙間５６ｂを必要として、この隙間５６ｂから埃等の異物がパネル５６内に侵入し易いという問題がある。
また、キーラバー５４は、パネル５６の孔５６ａに対応した箇所のみでプリント基板を覆うようになっているため、孔５６ａから侵入した異物がキーラバー５４を越えて、プリント基板上に移行し、プリント基板上の回路の破壊等を起こすという問題がある。
【０００９】
本発明は、誤操作が少なく、小型であると共に、防塵性を向上できる入力装置を提供することを目的とする。
【００１０】
【課題を解決するための手段】
上記課題を解決するための第１の手段として、スライド移動可能な操作部材、及びこの操作部材のスライド動作によって操作される入力部材を備えた入力手段と、前記操作部材を支持すると共に、前記操作部材の一部を露出させるパネルとを備え、前記操作部材は、操作部と、この操作部の外周から突出する鍔部とを有し、前記操作部は、前記パネルに設けられた孔に位置して、前記パネルから露出すると共に、前記鍔部は、前記パネルの内面と対向し、且つ、前記パネルの内面に当接、或いは近接した状態で配置され、前記操作部材のスライド動作時、前記鍔部が前記パネルにガイドされて、前記操作部材がスライド移動すると共に、前記入力部材が操作されるようにした構成とした。
【００１１】
また、第２の解決手段として、前記鍔部は、前記操作部の全周から突出して設けられ、前記鍔部によって、前記パネルの前記孔を塞ぐようにした構成とした。
また、第３の解決手段として、前記入力手段はケースを備え、前記鍔部は、前記ケースと前記パネルによって挟持された状態で、スライド移動するようにした構成とした。
【００１２】
また、第４の解決手段として、前記入力手段は、前記操作部に設けられた係合孔と嵌合する可動部材を有し、前記操作部材のスライド移動時、前記可動部材がスライド動作することによって、前記入力部材が操作されるようにした構成とした。
また、第５の解決手段として、前記操作部上には、前記係合孔を塞ぐフイルムが設けられた構成とした。
【００１３】
また、第６の解決手段として、前記入力手段は、前記係合孔に対向した状態で、前記入力部材を操作するための上下動可能なステムを有し、前記フイルムの内面には、硬い材料からなる板状部が配置され、前記フイルム上を押圧した時、前記フイルムが撓むと共に、前記板状部を介して前記ステムが押されて、前記入力部材が操作されるようにした構成とした。
【００１４】
また、第７の解決手段として、前記パネルの内部には、前記入力手段を取り付けるプリント基板と、前記プリント基板上に配置された防塵部材とを有し、前記防塵部材は、前記入力部材を囲むように配置されて、前記操作部材の前記鍔部に結合された構成とした。
【００１５】
また、第８の解決手段として、前記防塵部材は、平坦状の基部と、この基部に繋がり、ゆとり部のある薄肉部とを有し、前記基部が前記プリント基板上に配置されると共に、前記薄肉部が前記鍔部に結合された構成とした。
【００１６】
また、第９の解決手段として、前記パネルは、前記基部を前記プリント基板側に押圧するための突部を有し、前記突部によって、前記薄肉部の近傍の前記基部を押圧した構成とした。
また、第１０の解決手段として、複数個の前記突部を有し、前記突部によって、前記基部が複数箇所押圧された構成とした。
【００１７】
また、第１１の解決手段として、前記パネルの内部には、前記入力手段を取り付けるプリント基板と、前記プリント基板上に配置された防塵部材とを有し、前記防塵部材は、前記入力部材を囲むように配置された構成とした。
【００１８】
また、第１２の解決手段として、前記操作部材の前記鍔部と前記防塵部材との間にスペーサ部材が配置されてた構成とした。
また、第１３の解決手段として、前記パネルは、前記防塵部材を前記プリント基板側に押圧するための突部を有し、前記突部によって前記防塵部材を押圧した構成とした。
【００１９】
また、第１４の解決手段として、前記操作部材、又は／及び前記パネルは、透光可能な材料で形成され、前記パネルの内部に配置された照光部材によって、前記操作部材、又は／及び前記パネルを照光するようにした構成とした。
【００２０】
【発明の実施の形態】
本発明の入力装置の図面を説明すると、図１は本発明の入力装置の第１実施例に係る断面図、図２は本発明の入力装置の第１実施例に係り、固定接点を説明するためのケースの要部の平面図、図３は本発明の入力装置の第１実施例に係り、入力手段の動作を説明するための断面図である。
【００２１】
また、図４は本発明の入力装置の第２実施例に係り、その概要を示す要部断面図、図５は本発明の入力装置の第３実施例に係り、その概要を示す要部断面図である。
【００２２】
次に、本発明の入力装置の第１実施例に係る構成を図１〜図３に基づいて説明すると、合成樹脂の成型品等からなる電子機器のパネル１は、円形状の孔１ａと、内部に向けて突出した環状、或いは複数個の突部１ｂと、孔１ａの周囲に設けられた透光材料からなる透光部１ｃを有する。
【００２３】
プリント基板２は、上面に導電パターン（図示せず）が設けられ、このプリント基板２は、パネル１の内部に、パネル１と平行な状態で配置されている。
ゴム材等からなる防塵部材３は、平坦状の基部３ａと、この基部３ａより薄肉からなり、蛇腹状、或いは折り曲がったゆとり部のある薄肉部３ｂと、この薄肉部３ｂの自由端部側に設けられ、中央部に孔３ｃを備えた結合部３ｄと、薄肉部３ｂで形成された空洞部１ｅを有する。
【００２４】
この防塵部材３は、孔３ｃがパネル１の孔１ａに対向し、基部３ａがプリント基板２上に載置された状態で、プリント基板２に取り付けられる。
そして、防塵部材３が取り付けられた際、突部１ｂによって、薄肉部３ｂの近傍の基部３ａがプリント基板２側に押圧されている。
【００２５】
また、この基部３ａは、突部１ｂによって環状、或いは複数箇所が押圧された状態となっており、これによって、薄肉部３ｂで囲まれた空洞部１ｅを境にして、パネル１の内部が防塵された状態となっている。
【００２６】
発光部材４は、ＬＥＤ等からなり、この発光部材４は、空洞部１ｅ内のプリント基板２上に配置されており、この発光部材４によって、パネル１の透光部１ｃが照光するようになっている。
また、防塵部材３が透孔可能な材料によって形成され、この防塵部材３を通して発光部１ｅを照光するようにしても良い。
【００２７】
入力手段５は、操作部材６と、入力部材８とで構成されている。
合成樹脂の成型品等で形成された操作部材６は、中央部に係合孔６ａが設けられた環状の操作部６ｂと、この操作部６ｂの全周から外方（径方向）に突出した鍔部６ｃを有する。
また、操作部６ｂは、鍔部６ｃの中央部から上方に突出した状態となっており、操作部６ｂの上面と鍔部６ｃとの間には、段差部６ｄが形成されている。
【００２８】
プラスチック材からなるフイルム７は、操作部材６の外周面を覆うように、操作部材６に取り付けられ、このフイルム７によって、係合孔６ａが塞がれた状態となっている。
また、フイルム７の操作部材６への取付は、接着、或いは操作部材６の成型時に一体成型する等によって、両者が結合される。
【００２９】
そして、このような構成を有する操作部材６は、操作部６ｂがパネル１の孔１ａ内に位置して操作部６ｂを露出させ、鍔部６ｃが孔１ａを塞ぐようにパネル１の内面と対向し、且つ、パネル１の内面に当接、或いは、近接した状態で配置されている。
更に、鍔部６ｃの全外周部は、防塵部材３の孔３ｃ内に位置した状態で、結合部３ｄに結合されている。
【００３０】
そして、この鍔部６ｃと防塵部材３との結合によって、防塵部材３の空洞部１ｅ内は、外部から密閉状態となって、防塵性が向上する。
また、操作部材６，及びフイルム７は、透光可能な透光材料で形成されており、発光部材４によって、照光可能となっている。
【００３１】
また、この操作部材６は、スライド動作可能にパネル１に支持されており、操作部６ｂをスライド移動すると、鍔部６ｃがパネル１をガイドにして、操作部材６が孔１ａ内の全周にわたってスライド移動可能となっている。
そして、段差部６ｄが孔１ａの縁にぶつかると、操作部材６のスライド移動が停止されるようになり、その間において、薄肉部３ｂは、蛇腹状等のゆとり部が変形するため、薄肉部３ｂが引っ張られて切断するようなことがない。
【００３２】
次に、入力部材８の構成を説明すると、ケース９は、合成樹脂などの絶縁材で上面が開口された略円形状の箱形に形成されており、このケース９の中央には、円環状の壁部９ａで囲まれた有底状の収納部９ｂが設けられると共に、このケース９には、収納部９ｂからの外方に延びる底壁９ｃと、この底壁９ｃの外周部に設けられた側壁９ｄを有する。
【００３３】
この収納部９ｂの壁部９ａの内側面には、導電性の金属材からなる第１の共通固定接点１０が対向された状態で一対配設されており、また、第１の共通固定接点１０とは直交する方向に導電性の金属材からなる第２の共通固定接点１１が対向された状態で一対配設されている。
また、第１及び第２の共通固定接点１０，１１の中間には、同じく導電性の金属材からなる個別固定接点１２ａ、１２ｂ、１２ｃ、１２ｄがそれぞれ離間して配設されたものとなっている。
【００３４】
また、第１及び第２の共通固定接点１０，１１、及び個別固定接点１２ａ〜１２ｄの他端側は、ケース９の内底部を通って、ケース９の外側面から外方へ突出されており、この他端側には、プリント基板２の導電パターンに接続される。
【００３５】
また、収納部９ｂの底部には、導電性の金属材からなる押圧操作用の固定接点１３ａ、１３ｂが配設され、固定接点１３ａは独立した状態で配設されているが、固定接点１３ｂは第１の共通固定接点１０と連接されて導通された状態となっている。
【００３６】
また、固定接点１３ａの他端側は、ケース９の内底部を通って、ケース９の外則面から外方に突出されており、この他端側には、プリント基板２の導電パターンに接続される。
【００３７】
固定接点１３ａ、１３ｂ上には、導電性の円盤状の金属板からなる押圧用の第１の可動接点１４が配設されており、この第１の可動接点１４は、中央が膨出したドーム状に形成されている。
そして、第１の可動接点１４は、固定接点１３ａ、及び固定接点１３ｂの上面側に被さるように配設されており、この時、第１の可動接点１４の周縁部は、固定接点１３ｂと常時接触し、且つ、ドーム状の頂部は、固定接点１３ａと一定の間隔が保持されて対向した状態となっている。
この状態では固定接点１３ａ、及び固定接点１３ｂはオフ状態となっている。
【００３８】
また、ケース９がプリント基板２上に載置して取り付けられた際、側壁９ｄの上端部は、操作部材６の鍔部６ｃの下面に当接し、この側壁９ｄとパネル１とで、スライド可能に鍔部６ｃを挟持した状態となっている。
【００３９】
可動部材１５は、例えばシリコンゴムなどの弾性付勢（復元）力に富んでいる絶縁性の弾性材で形成されており、撓むことによりケース９にスライド移動可能なように収納されている。
この可動部材１５には、略円盤状からなる基板部１５ａと、この基板部１５ａに連設されて略Ｓ字状に屈曲して形成された弾性変形自在な弾性変形部１５ｂと、この弾性変形部１５ｂの上面側に突出して形成された係合部１５ｃと、この係合部１５ｃの中央部に設けられた孔１５ｄとが形成されている。
【００４０】
そして、この可動部材１５は、基板部１５ａがケース９の底壁９ｃ上に載置され、係合部１５ｃが操作部材６の係合孔６ａに嵌合されて取り付けられている。
また、可動部材１５が取り付けられた際、係合部１５ｃと基板部１５ａとの間には、変形自在な弾性変形部１５ｂを形成するようにしているので、係合部１５ｃが弾性変形部１５ｂによって容易に押圧変形が行えることから、操作時に大きな作動力を得ることができると共に、係合部１５ｃを容易に初期位置に復帰できるようになっている。
【００４１】
即ち、操作部材６をスライド動作した際、係合孔６ａで係合部１５ｃを引っかけて、係合部１５ｃが操作部６ｂと共にスライド移動する。
この時、弾性変形部１５ｂが弾性変形することにより、係合部１５ｃが容易にスライド移動できると共に、操作部材６のスライド動作を解除すると、弾性変形部１５ｂの弾性によって、係合部１５ｃが容易に初期位置に復帰することができるものとなっている。
【００４２】
また、係合部１５ｃの下面側には、金属板などからなる保持板１６が接着あるいはインサート成形などの方法で一体に固着されている。
この保持板１６は、係合部１５ｃがスライド操作される際に、壁部９ａの上面の摺動部と摺動するものとなっている。
【００４３】
このように、可動部材１５に、係合部１５ｃとケース９との摺動部分に金属板からなる保持板１６を配設するようにしたので、両者の摺動部分が樹脂と金属との摺動による低摩擦部材の構成となるため、スライド移動をスムーズに行うことができ良好な操作性が得られるものとなる。
【００４４】
合成樹脂などの絶縁材からなるステム１７は、その下端部に、第１の可動接点１４を押圧する突部１３ａが設けられ、このステム１７は、下部の突部１７ａが第１の可動接点１４上に位置した状態で、上部が保持板１６の孔１６ａを通って可動部材１５の孔１５ｄ内に位置した状態で取り付けられて、昇降（上下動）可能となっている。
【００４５】
金属板や合成樹脂板等の硬い材料からなる板状部１８は、可動部材１５の孔１５ｄ内に位置した状態で、フイルム７の内面とステム１７の上面との間に配置されている。
そして、ステム１７を下方に移動するために、柔軟性のあるフイルム７の上面を押圧すると、フイルム７が撓んで下方に凹んだ状態となるが、この時、硬い材料からなる板状部１８を介してステム１７が押されるため、ステム１７の下方への移動を確実にできる。
【００４６】
そして、ステム１７が押されると、第１の可動接点１４が反転動作して、固定接点１３ａ、１３ｂ間がＯＮ状態となる。
また、フイルム７の押圧を解除すると、第１の可動接点１４の自己のバネ性により、第１の可動接点１４が元の状態に戻ってＯＦＦの状態になると共に、この第１の可動接点１４により板状部１８とフイルム７は、元の状態に押し戻される。
【００４７】
ステム１７の外周には、合成樹脂などからなるリング状の取付体１９が収納部９ｂ内に位置した状態で配置され、この取付体１９の開口部１９ａには、ステム１７が挿入されて、取付体１９が回転可能となっている。
【００４８】
また、取付体１９の外周面には、例えば導電ゴムなどの導電性の弾性材からなる第２の可動接点２０が保持されている。
この第２の可動接点２０は、取付体１９の外周面に沿って円環状となるように形成されたものとなっており、これにより、第２の可動接点２０は、取付体１９と共に、ステム１７の外周面に回動可能に保持されたものとなっている。
【００４９】
そして、第２の可動接点２０を組み込んだ取付体１９が取り付けられた状態で、操作部材６をスライド動作すると、可動部材１５の係合部１５ｃ、保持板１６，及びステム１７が順次スライド移動する。
すると、ステム１７が取付体１９を引っかけて、取付体１９をスライド移動するため、図３に示すように、第２の可動接点２０は、第１及び第２の共通固定接点１０，１１の何れか一つと、個別固定接点１２ａ、１２ｂ、１２ｃ、１２ｄの何れか一つに接触して、一つの共通固定接点と一つの個別固定接点間を導通した状態となる。
【００５０】
また、スライド部材６のスライド動作を解除すると、可動部材１５の弾性変形部１５ｂの弾性によって、操作部材６，係合部１５ｃ、保持板１６，ステム１７，及び取り付けた１９と第２の可動接点２０は元の状態に復帰するようになる。
【００５１】
そして、操作部材６を所望の方向へスライド操作させることにより、第２の可動接点２０が接触して変形するのに伴って、第２の可動接点２０を介して第１及び第２の共通固定接点１０，１１と複数の個別可動接点１２ａ、１２ｂ、１２ｃ、１２ｄとを選択的に導通させるものとなっている。
【００５２】
このように、第２の可動接点２０を、導電ゴムなどの導電性の弾性材で円環状に形成すると共に、操作部材６を所望の方向へスライド操作させることにより、第２の可動接点２０の外周部は、第１及び第２の共通固定接点１０，１１と複数の個別固定接点１２ａ、１２ｂ、１２ｃ、１２ｄとを選択的に接触させるようにしたので、操作部材６の操作方向は、３６０度の全周にわたって操作可能となり、各操作方向に対する検出が可能となることから、多方向の検出が容易に行えるものとなる。
【００５３】
また、第２の可動接点２０が取付体１９を介してステム１７の外周面に回動可能に保持されているので、万一、第２の可動接点２０が第１及び第２の共通固定接点１０，１１、及び個別固定接点１２ａ、１２ｂ、１２ｃ、１２ｄに押し付けられた状態で、操作部材６が回転操作されたとしても、操作部材６のみ回転することになるので、第２の可動接点２０が剥がれたり損傷したりするのを防止することができるものとなっている。
【００５４】
また、第２の可動接点２０を円環状に形成して、第１及び第２の共通固定接点１０，１１、及び複数の個別固定接点１２ａ、１２ｂ、１２ｃ、１２ｄをケース９の収納部９ｂの内側面に沿って略円状にそれぞれ配置するようにしてあるので、操作部材６の縦横方向、及び斜め方向の操作に対応して、円環状の第２の可動接点２０が円滑に弾性変形するように形成されていることから、所望の操作方向に対する検出が確実に行えるものとなっている。
このような構成によって、入力部材８が形成されたものとなっている。
【００５５】
次に、上記の実施例における入力装置の動作について説明すると、まず、スイッチの押圧（押し込み）操作時には、図１に示す状態で、操作部材６上のフイルム７を押圧する。
すると、板状部１８を介してステム１７が押圧移動され、その結果、ステム１７が第１の可動接点１４の頂部を押圧する。
この時、第１の可動接点１４は、ドーム状の膨出した頂部が反転されて、固定接点１３ａと接触することで、固定接点１３ａ、１３ｂ同士が第１の可動接点１４を介して導通し、固定接点１３ａ、１３ｂ間がＯＮオン状態となる。
【００５６】
この状態から押圧を除去すると、第１の可動接点１４が自らの反転により初期状態に復帰してＯＦＦ状態となるのに合わせて、ステム１７，板状部１８も初期位置に復帰するものとなる。
【００５７】
次に、スイッチのスライド操作時について説明すると、まず、操作部材６を指などで横方向（図１の左方向）にスライドさせると、可動部材１５の係合部１５ｃが操作部材６に追従して横方向（図１の左方向）にスライド移動して、図３に示す状態となる。
この時、保持板１６，ステム１７，及び取付体１９と第２の可動接点２０も連動してスライド移動し、取付体１９の外周面に保持された第２の可動接点２０は、円環状の外周部がケース９の収納部９ｂ内側面に配設された第１の共通固定接点１０と個別固定接点１２ｄとに接触するものとなる。
そして、第１の共通固定接点１０と個別固定接点１２ｄ同士が第２の可動接点可動接点２０を介して導通してＯＮ状態となる。
【００５８】
この状態から、指の横方向（図１の左方向）の押圧を除去すると、弾性変形部１５ｂの弾性復元力により初期位置に復帰するのに合わせて、操作部材６，保持板１６，ステム１７，取付体１９，及び第２の可動接点２０が初期状態に復帰してオフ状態となる。
このように、操作部材６は、３６０度の全周にわたってスライド動作可能となっており、この操作部材６のスライド動作によって、第１，第２の共通固定接点１０，１１の何れか一つと、個別固定接点１２ａ、１２ｂ、１２ｃ、１２ｄの何れか一つの導通を行うことができる。
【００５９】
また、図４は本発明の入力装置の第２実施例を示し、この第２実施例は、ゴム材などからなる簿塵部材２１がプリント基板２の上面を覆うように、プリント基板２上に載置されると共に、この防塵部材２１によって、入力装置８のケース９の外周を囲んだ状態となっている。
【００６０】
その他の構成は、前記第１実施例と同様であるので、同一部品に同一番号を付し、ここではその説明を省略する。
このような構成によって、入力部材８の下面と、その他のプリント基板２の面上への耐防塵性の向上を図っている。
【００６１】
また、図５は本発明の入力装置の第３実施例を示し、この第３実施例は、前記第２実施例と同様に、ゴム材などからなる簿塵部材２１がプリント基板２の上面を覆うように、プリント基板２上に載置されると共に、この防塵部材２１によって、入力装置８のケース９の外周を囲んだ状態となっている。
更に、スペーサ部材２２が防塵部材２１と操作部材６の鍔部６ｃとの間に介在して、隙間を少なくしたものとなっている。
【００６２】
その他の構成は、前記第１実施例と同様であるので、同一部品に同一番号を付し、ここではその説明を省略する。
このような構成によって、入力部材８の下面と、その他のプリント基板２の面上への耐防塵性の向上を図っている。
【００６３】
なお、上記実施例において、フイルム７の上面には、種々の記号や図形を施して、操作時や照光時の表示を行っても良い。
【００６４】
【発明の効果】
本発明の入力装置は、スライド移動可能な操作部材、及びこの操作部材のスライド動作によって操作される入力部材を備えた入力手段と、操作部材を支持すると共に、操作部材の一部を露出させるパネルとを備え、操作部材は、操作部と、この操作部の外周から突出する鍔部とを有し、操作部は、パネルに設けられた孔に位置して、パネルから露出すると共に、鍔部は、パネルの内面と対向し、且つ、パネルの内面に当接、或いは近接した状態で配置され、操作部材のスライド動作時、鍔部がパネルにガイドされて、操作部材がスライド移動すると共に、入力部材が操作されるようにした構成とした。
このように、操作部材のスライド動作によって入力部材を操作すると、従来のシーソーキーを押圧動作するものに比して、入力部材の不用意な操作が少なくなり、従って、誤動作の少なく、且つ、小型の入力装置を提供できる。
また、操作部材がスライド操作するものであるため、従来に比して、操作部材とパネルとの間の隙間が極めて小さく、且つ、鍔部とパネルが対向した状態となっているため、パネル内への防塵性が向上できる。
【００６５】
また、鍔部は、操作部の全周から突出して設けられ、鍔部によって、パネルの孔を塞ぐようにしたため、鍔部とパネルとの間の隙間を確実に塞ぐことができて、パネル内への防塵性が一層向上できる。
【００６６】
また、入力手段はケースを備え、鍔部は、ケースとパネルによって挟持された状態で、スライド移動するようにしたため、操作部材のスライド動作をスムーズに行うことができると共に、鍔部とパネルとの間の隙間を確実に塞ぐことができて、パネル内への防塵性が一層向上できる。
【００６７】
また、入力手段は、操作部に設けられた係合孔と嵌合する可動部材を有し、操作部材のスライド移動時、可動部材がスライド動作することによって、入力部材が操作されるようにしたため、操作部材と可動部材との係合が簡単で、生産性が良好であると共に、薄型のものが得られる。
【００６８】
また、操作部上には、係合孔を塞ぐフイルムが設けられたため、係合孔からの埃等の侵入が阻止できて、パネル内への防塵性が一層向上できる。
【００６９】
また、入力手段は、係合孔に対向した状態で、入力部材を操作するための上下動可能なステムを有し、フイルムの内面には、硬い材料からなる板状部が配置され、フイルム上を押圧した時、フイルムが撓むと共に、板状部を介してステムが押されて、入力部材が操作されるようにしたため、ステムの下方への移動を確実にでき、従って、プッシュ型スイッチを備えた入力部材において、操作の確実なものが得られる。
【００７０】
また、パネルの内部には、入力手段を取り付けるプリント基板と、プリント基板上に配置された防塵部材とを有し、防塵部材は、入力部材を囲むように配置されて、操作部材の鍔部に結合されたため、入力部材の下面、及びプリント基板の上面への埃等の侵入を阻止できて、防塵性の良好なものが得られる。
【００７１】
また、防塵部材は、平坦状の基部と、この基部に繋がり、ゆとり部のある薄肉部とを有し、基部がプリント基板上に配置されると共に、薄肉部が鍔部に結合されたため、薄肉部が切断されることなく、入力部材の下面、及びプリント基板の上面への埃等の侵入を阻止できる。
【００７２】
また、パネルは、基部をプリント基板側に押圧するための突部を有し、突部によって、薄肉部の近傍の基部を押圧したため、基部がプリント基板に密接し、このため、プリント基板と基部との間の隙間からの埃等の侵入を阻止できて、防塵性の良好なものが得られる。
【００７３】
また、複数個の突部を有し、突部によって、基部が複数箇所押圧されたため、基部とプリント基板との間の密接度が向上し、このため、プリント基板と基部との間の隙間からの埃等の侵入を一層阻止できて、防塵性の良好なものが得られる。
【００７４】
また、パネルの内部には、入力手段を取り付けるプリント基板と、プリント基板上に配置された防塵部材とを有し、防塵部材は、入力部材を囲むように配置されたため、入力部材の下面、及びプリント基板の上面への埃等の侵入を阻止できて、防塵性の良好なものが得られる。
【００７５】
また、操作部材の鍔部と防塵部材との間にスペーサ部材が配置されてたため、スペーサ部材が防塵部材と操作部材の鍔部との間の隙間を少なくし、このため、防塵性の一層良好なものが得られる。
【００７６】
また、パネルは、防塵部材をプリント基板側に押圧するための突部を有し、突部によって防塵部材を押圧したため、防塵部材がプリント基板に密接し、このため、プリント基板と防塵部材との間の隙間からの埃等の侵入を阻止できて、防塵性の良好なものが得られる。
【００７７】
また、操作部材、又は／及びパネルは、透光可能な材料で形成され、パネルの内部に配置された照光部材によって、操作部材、又は／及びパネルを照光するようにしたため、埃等の侵入の少ない状態で照光できるため、照光が曇ることなく、照光の良好なものが得られる。
【図面の簡単な説明】
【図１】本発明の入力装置の第１実施例に係る断面図。
【図２】本発明の入力装置の第１実施例に係り、固定接点を説明するためのケースの要部の平面図。
【図３】本発明の入力装置の第１実施例に係り、入力手段の動作を説明するための断面図。
【図４】本発明の入力装置の第２実施例に係り、その概要を示す要部断面図。
【図５】本発明の入力装置の第３実施例に係り、その概要を示す要部断面図。
【図６】従来の入力装置の要部断面図。
【符号の説明】
１  パネル
１ａ  孔
１ｂ  突部
１ｃ  透光部
２  プリント基板
３  防塵部材
３ａ  基部
３ｂ  薄肉部
３ｃ  孔
３ｄ  結合部
３ｅ  空洞部
４  発光部材
５  入力手段
６  操作部材
６ａ  係合孔
６ｂ  操作部
６ｃ  鍔部
６ｄ  段差部
７  フイルム
８  入力部材
９  ケース
９ａ  壁部
９ｂ  収納部
９ｃ  底壁
９ｄ  側壁
１０  第１の共通固定接点
１１  第２の共通固定接点
１２ａ  個別固定接点
１２ｂ  個別固定接点
１２ｃ  個別固定接点
１２ｄ  個別固定接点
１３ａ  固定接点
１３ｂ  固定接点
１４  第１の可動接点
１５  可動部材
１５ａ  基板部
１５ｂ  弾性変形部
１５ｃ  係合部
１５ｄ  孔
１６  保持板
１６ａ  孔
１７  ステム
１７ａ  突部
１８  板状部
１９  取付体
１９ａ  開口部
２０  第２の可動接点
２１  防塵部材
２２  スペーサ部材
【図１】
2004178328.tif 000003
【図２】
2004178328.tif 000004
【図３】
2004178328.tif 000005
【図４】
2004178328.tif 000006
【図５】
2004178328.tif 000007
【図６】
2004178328.tif 000008